(57)【要約】【課題】原稿搬送路に沿って搬送される原稿の画像読取り部位の上流部位に配置されるインクジェットプリンタにより印刷を行い、印刷結果を読み取る画像読取り装置において、乾ききっていないインクが読取り位置に配置するガラス及び原稿搬送路に転写することを防止するインク転写防止構造を提供する。【解決手段】原稿搬送路に沿って搬送される原稿の画像読取り部位の上流部位に配置されるインクジェットプリンタにより印刷を行い、印刷結果を読み取る画像読取り装置のインク転写防止構造において、画像読取りセンサーが読み取る読取り位置に配置するガラスに対して読取り位置の上流側には所定の厚さを有する段差部を形成し、原稿を読み取る際に読取り位置におけるガラスと原稿との接触を防止するように構成する。【選択図】　　　　　　図１
2004056673.tif 000002
【特許請求の範囲】
【請求項１】
原稿搬送路に沿って搬送される原稿の画像読取り部位の上流部位に配置されるインクジェットプリンタにより印刷を行い、印刷結果を読み取る画像読取り装置のインク転写防止構造において、
画像読取りセンサーが読み取る読取り位置に配置するガラスに対して読取り位置の上流側には所定の厚さを有する段差部を形成し、
原稿を読み取る際に読取り位置におけるガラスと原稿との接触を防止するように構成する、
ことを特徴とする画像読取り装置のインク転写防止構造。
【請求項２】
原稿搬送路に沿って搬送される原稿の画像読取り部位の上流部位に配置されるインクジェットプリンタにより印刷を行い、印刷結果を読み取る画像読取り装置のインク転写防止構造において、
原稿の印刷領域面と当該印刷領域面に対向する原稿搬送路面との間隔を保持する一対の突起部を原稿搬送方向と直交する方向に移動可能にして画像読取りセンサーが読み取る読取り位置に配置するガラスの上流側と下流側とに配置し、
原稿を搬送する際に印刷領域面と当該印刷領域面に対向する原稿搬送路面との接触を防止するように構成する、
ことを特徴とする画像読取り装置のインク転写防止構造。
【発明の詳細な説明】
【０００１】
【発明の属する技術分野】
この発明は、原稿搬送路に沿って搬送される原稿の画像読取り部位の上流部位に配置されるインクジェットプリンタにより印刷を行い、印刷結果を読み取る画像読取り装置のインク転写防止構造に関し、乾ききっていないインクが読取り位置に配置するガラス及び原稿搬送路に転写することを防止してガラス及び原稿搬送路を汚さないようにし、読取り画像品質を低下させたり、原稿に汚れを付着させたりしないようにすることを実現する画像読取り装置のインク転写防止構造に関するものである。
【０００２】
【従来の技術】
図５に従来技術の図を示す。同図（ｂ）において、画像読取り装置は、搬送ローラ５６、原稿ガイド５７等からなる原稿搬送路に沿って搬送される原稿６０の画像読取り部位の上流部位にインクジェットプリンタを構成するインクジェットプリンタヘッド５１が配置されている。インクジェットプリンタヘッド５１は、同図（ａ）に示すように、ナンバリング等を原稿搬送方向（副走査方向）に印刷を行い、印刷結果を画像読取りセンサー５２で読取るように構成されている。当該画像読取り装置において、インクジェットプリンタによる印刷以降ではインクが未定着のままで原稿搬送路に沿って画像読取り部位や画像読取り部位の下流へと搬送される。
【０００３】
上記の様に構成される画像読取り装置では、図６に示すように、画像読取りセンサー５２が読取る読取り位置において、原稿６０は読取り位置に配置するガラス５５と接触する場合がある。インクジェットプリンタを採用することにより、原稿を読取る前に印刷を行うため、乾ききっていないインクが読取り位置に配置するガラス５５に転写してガラス５５を汚してしまう。
【０００４】
また、図７に示すように、原稿６０は原稿搬送路を構成する印刷面と対向する原稿ガイド５７ａと接触する場合がある。これにより、乾ききっていないインクが印刷面と対向する原稿ガイド５７ａに転写して原稿搬送路を汚してしまう。この為、読取り位置に配置するガラス及び原稿搬送路を汚さない対策が望まれていた。
【０００５】
【発明が解決しようとする課題】
前記のごとく、従来の技術では次のような問題点がある。
【０００６】
原稿を読取る前にインクジェットプリンタで印刷を行うため、乾ききっていないインクが読取り位置に配置するガラス及び原稿搬送路に転写して汚してしまうため、読取り画像品質を低下させたり、原稿に汚れを付着させたりする。
【０００７】
この発明の課題は、
原稿を読取る前にインクジェットプリンタで印刷を行っても、乾ききっていないインクが読取り位置に配置するガラスを含む原稿搬送路に転写することを防止してガラスや原稿搬送路を汚さないようにし、読取り画像品質を低下させたり、原稿に汚れを付着させたりしないようにすることにある。
【０００８】
【課題を解決するための手段】
前記の問題点を解決するために、この発明では次に示す手段を取った。
【０００９】
原稿搬送路に沿って搬送される原稿の画像読取り部位の上流部位に配置されるインクジェットプリンタにより印刷を行い、印刷結果を読み取る画像読取り装置のインク転写防止構造において、
読取り位置に配置するガラスの上流側に所定の厚さを有する段差部を形成し、原稿を読み取る際に読取り位置におけるガラスと原稿との接触を防止する。
【００１０】
上記の手段をとることにより、読取り位置において、原稿をガラスと接触することを防止する。これにより、原稿を読取る前にインクジェットプリンタで印刷を行っても、読取り位置において、乾ききっていないインクがガラスに転写することを防止してガラスを汚さないようにして、読取り画像品質を低下させない。
【００１１】
また、原稿搬送路に沿って搬送される原稿の画像読取り部位の上流部位に配置されるインクジェットプリンタにより印刷を行い、印刷結果を読み取る画像読取り装置のインク転写防止構造において、
原稿の印刷領域面と当該印刷領域面に対向する原稿搬送路面との間隔を保持する突起部を画像読取り位置に配置するガラスの上流側と下流側とに配置し、原稿を搬送する際に印刷領域面と当該印刷領域面に対向する原稿搬送路面との接触を防止する。
【００１２】
上記の手段をとることにより、原稿搬送路において、原稿を印刷面と対向する原稿ガイドと接触することを防止する。これにより、原稿を読取る前にインクジェットプリンタで印刷を行っても、乾ききっていないインクが原稿搬送路に転写することを防止して原稿搬送路を汚さないようにして、原稿に汚れを付着させない。
【００１３】
【発明の実施の形態】
この発明は、次に示す実施の形態を取った。
【００１４】
画像読取り装置のインク転写防止構造は、
原稿搬送路に沿って搬送される原稿の画像読取り部位の上流部位に配置されるインクジェットプリンタにより印刷を行い、印刷結果を読み取る画像読取り装置のインク転写防止構造において、
画像読取りセンサーが読み取る読取り位置に配置するガラスに対して読取り位置の上流側には所定の厚さを有する段差部を形成し、
原稿を読み取る際に読取り位置におけるガラスと原稿との接触を防止するように構成する。
【００１５】
上記の形態をとることにより、原稿を読取る前にインクジェットプリンタで印刷を行っても、読取り位置において、乾ききっていないインクが読取り位置に配置するガラスに転写することを防止してガラスを汚さないようにする。
【００１６】
また、画像読取り装置のインク転写防止構造は、
原稿搬送路に沿って搬送される原稿の画像読取り部位の上流部位に配置されるインクジェットプリンタにより印刷を行い、印刷結果を読み取る画像読取り装置のインク転写防止構造において、
原稿の印刷領域面と当該印刷領域面に対向する原稿搬送路面との間隔を保持する一対の突起部を原稿搬送方向と直交する方向に移動可能にして画像読取りセンサーが読み取る読取り位置に配置するガラスの上流側と下流側とに配置し、
原稿を搬送する際に印刷領域面と当該印刷領域面に対向する原稿搬送路面との接触を防止するように構成する。
【００１７】
上記の形態をとることにより、原稿を読取る前にインクジェットプリンタで印刷を行っても、乾ききっていないインクが原稿搬送路に転写することを防止して原稿搬送路を汚さないようにする。
【００１８】
【実施例】
この発明による代表的な実施例を図１ないし図４によって説明する。なお、以下において、同じ箇所は同一の符号を付してあり、詳細な説明を省略することがある。
【００１９】
図１は本発明の実施例を示す。
【００２０】
同図（ａ）において、画像読取り装置は、インクジェットプリンタを構成するインクジェットプリンタヘッド１を画像読取り部位の上流部位に配置している。インクジェットプリンタヘッド１は、前述の図５（ａ）と同様に、原稿１０にナンバリング等を原稿搬送方向（副走査方向）に印刷を行う。原稿１０は、画像読取り部位へと搬送されて、光源４により印刷面を照射し、印刷面を照射した光の反射光が結像レンズ３を経由し、画像読取りセンサー２に入力されて印刷結果を読み取る。
【００２１】
なお、原稿１０を搬送する搬送路は、原稿１０を搬送する搬送ローラ６と、原稿１０をガイドする原稿ガイド７とで構成する。すなわち、インクジェットプリンタヘッド１による印刷以降では、インクが未定着のままで原稿搬送路に沿って画像読取り部位や画像読取り部位の下流へと搬送される。
【００２２】
画像読取りセンサー２が読み取る読取り位置に配置するガラス５に対して読取り位置の上流側に所定の厚さを有する段差形成部８設ける。当該段差形成部８は、透明な樹脂部材やガラス等で形成しても良いし、前記ガラス５と一体で形成しても良い。これにより、段差形成部８を設けても光源からの光量はロスすることなく読取り面を照射する。
【００２３】
同図（ｂ）において、段差形成部８によって形成する段差は、段差形成部８の厚み方向の端面で発生する光源４による段差部の影を読取り位置（読取りライン）からマージンを持って外れるようにする。なお、段差は１ｍｍ以上に設定することが望ましく、原稿を読み取る際に、読取り位置（読取りライン）におけるガラス５と原稿１０との接触を防止するように構成するものである。
【００２４】
この構成によれば、図２に示すように、原稿１０を読取る前にインクジェットプリンタヘッド１で印刷を行っても、読取り位置において、乾ききっていないインクがガラス５に転写することを防止してガラス５を汚さないようにすることができることから、印刷結果を含む読取り画像品質を低下させない。
【００２５】
図３は本発明の実施例の模式図を示す。
【００２６】
同図（ａ）において、前述の図１と同様に、画像読取り装置は、インクジェットプリンタを構成するインクジェットプリンタヘッド１を画像読取り部位の上流部位に配置している。インクジェットプリンタヘッド１は、前述の図５（ａ）と同様に、原稿１０にナンバリング等を原稿搬送方向（副走査方向）に印刷を行う。また、インクジェットプリンタヘッド１は、原稿搬送方向（副走査方向）と直交する方向に所定の範囲内で移動可能にしてある。
【００２７】
原稿１０の印刷領域面と当該印刷領域面に対向する原稿搬送路面との間隔を保持する一対の突起部１５を設ける。当該一対の突起部１５は、画像読取りセンサー２が読み取る読取り位置に配置するガラス５の上流側と下流側とに配置する。また、当該一対の突起部１５は、インクジェットプリンタヘッド１の移動に同期して原稿搬送方向と直交する方向に移動可能にしている。
【００２８】
この構成によれば、図３（ｂ）に示すように、原稿１０を読取る前にインクジェットプリンタヘッド１で印刷を行っても、原稿の印刷領域面と印刷領域面に対向する原稿ガイド７ａとが接触しないので、乾ききっていないインクが印刷領域面に対向する原稿ガイド７ａに転写することを防止して原稿搬送路を汚さないようにすることができることから、原稿に汚れを付着させない。
【００２９】
図４は、前記の一対の突起部を原稿搬送方向と直交する方向に移動させる機構の一例を示すものであり、図３（ｂ）における矢視Ａから見た模式図である。
【００３０】
同図において、印刷領域面に対向する原稿ガイド７ａに一対の突起部１５が移動する範囲に穴を形成し、一対の突起部１５と一体に構成するラック２１を原稿ガイド７ａの上部に設ける。さらに、ピニオン２２を読取り領域外に配置する。これにより、インクジェットプリンタヘッド１の移動に同期してピニオン２２を駆動することにより、一対の突起部１５は、原稿搬送方向と直交する方向に移動する。
【００３１】
【発明の効果】
この発明により、以下に示すような効果が期待できる。
【００３２】
原稿搬送路に沿って搬送される原稿の画像読取り部位の上流部位に配置されるインクジェットプリンタにより印刷を行い、印刷結果を読み取る画像読取り装置のインク転写防止構造において、読取り位置の上流側に所定の厚さを有する段差部を形成し、原稿を読み取る際に、読取り位置におけるガラスと原稿との接触を防止する構造を採用することにより、原稿を読取る前にインクジェットプリンタで印刷を行っても、読取り位置において、乾ききっていないインクが読取り位置に配置するガラスに転写することを防止してガラスを汚さないようにする。これにより、印刷結果を含む読取り画像品質を低下させないようにすることができる。
【００３３】
また、原稿搬送路に沿って搬送される原稿の画像読取り部位の上流部位に配置されるインクジェットプリンタにより印刷を行い、印刷結果を読み取る画像読取り装置のインク転写防止構造において、原稿の印刷領域面と当該印刷領域面に対向する原稿搬送路面との間隔を保持する突起部を画像読取り位置に配置するガラスの上流側と下流側とに配置し、原稿を搬送する際に印刷領域面と当該印刷領域面に対向する原稿搬送路面との接触を防止する構造を採用することにより、原稿を読取る前にインクジェットプリンタで印刷を行っても、乾ききっていないインクが原稿搬送路に転写することを防止して原稿搬送路を汚さないようにする。これにより、原稿に汚れを付着させないようにすることができる。
【図面の簡単な説明】
【図１】本発明の実施例の図である。
【図２】本発明の実施例の図である。
【図３】本発明の実施例の模式図である。
【図４】本発明の実施例の模式図である。
【図５】従来技術の図である。
【図６】従来技術の図である。
【図７】従来技術の模式図である。
【符号の説明】
１：インクジェットプリンタヘッド
５：ガラス
７ａ：原稿ガイド
８：段差形成部
１５：突起部
２１：ラック
２２：ピニオン
【図１】
2004056673.tif 000003
【図２】
2004056673.tif 000004
【図３】
2004056673.tif 000005
【図４】
2004056673.tif 000006
【図５】
2004056673.tif 000007
【図６】
2004056673.tif 000008
【図７】
2004056673.tif 000009